(57)【要約】  【課題】  予め設定された時間帯においては照明器具が点灯され、それ以外の時間帯では照明器具が消灯(または減光)されるようにする。  【解決手段】  設定された時間帯(例えば１７：００〜２３：００)において照明器具２が点灯制御される時間帯点灯機能手段(留守番モード)を備えた照明制御装置であって、前記時間帯点灯機能手段をセットした場合、所定時間(例えば５分)後に前記時間帯中であるか否かを判定し、前記時間帯中である場合は照明器具２を点灯制御(リモコン送信器３が点灯信号送信)し、そうでない場合は照明器具２を消灯(または減光)制御(リモコン送信器３が消灯信号送信)する照明制御装置である。【選択図】  図５
2005078924.tif 000002
【特許請求の範囲】
【請求項１】
設定された時間帯において照明器具が点灯制御される時間帯点灯機能手段を備えた照明制御装置であって、前記時間帯点灯機能手段をセットした場合、所定時間後に前記時間帯中であるか否かを判定し、前記時間帯中である場合は照明器具を点灯制御し、そうでない場合は照明器具を消灯(または減光)制御する照明制御装置。
【発明の詳細な説明】
【技術分野】
【０００１】
本発明は、いわゆるタイマー機能をもつリモコン送信器などと、これによって制御される照明器具を対象とした照明制御装置に関する。
【背景技術】
【０００２】
このようなリモコン送信器は特許文献１で知られ、その段落「００４６」には、あらかじめ設定された時刻にリモコン信号が照明器具に送信されることが記載されている。この機能を用いると、自宅を留守にする場合に、防犯のためにあたかも家人が在宅しているかのように、設定した時間帯で自宅の照明器具を点灯制御させることができる。例えば、毎日、１７：００から２３：００の時間帯で照明器具を自動的に点灯させておくことができる。このような時間帯点灯機能を留守番モードと称しておく。
【特許文献１】特開２００１−２８５９７０号公報
【発明の開示】
【発明が解決しようとする課題】
【０００３】
そして外出するために、前記時間帯の開始時刻(１７：００)になる相当前に、照明器具が点灯状態のまま留守番モードをセットした場合、前記開始時刻(１７：００)になる前でも照明器具が点灯継続している。また、外出するために、前記時間帯中(１７：００〜２３：００)に照明器具が点灯状態のまま留守番モードをセットしても、すぐに照明器具を消灯してから外出してしまうと、照明器具は消灯状態のまま翌日の１７：００になって始めて留守番モードが作動して照明器具が点灯する。このように照明器具が前記時間帯外で点灯継続したり、前記時間帯内で消灯継続したりする。本発明はこのような解決すべき課題を鑑み、予め設定された時間帯においては照明器具が点灯され、それ以外の時間帯では照明器具が消灯(または減光)されるようにすることを目的とする。
【課題を解決するための手段】
【０００４】
本発明を要約すると、設定された時間帯において照明器具が点灯制御される時間帯点灯機能手段を備えた照明制御装置であって、前記時間帯点灯機能手段をセットした場合、所定時間後に前記時間帯中であるか否かを判定し、前記時間帯中である場合は照明器具を点灯制御し、そうでない場合は照明器具を消灯(または減光)制御する照明制御装置である。
【発明の効果】
【０００５】
本発明によれば、予め設定された時間帯においては照明器具が点灯され、それ以外の時間帯では照明器具が消灯(または減光)され、適切な防犯機能などが発揮される。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
まず、図１〜３に基づいて説明すれば、住宅１の内部において天井には照明器具２が取り付けられ、壁には照明器具２をリモコン制御できるリモコン送信器３がセットされている。そして、照明器具２には、主光源となる蛍光ランプ４や図示されない豆球などの補助光源、さらには、リモコン送信器３からのリモコン信号を受ける受信部５などが設けられる。
【０００８】
リモコン送信器３は、マイコン６、マイコン６からの制御出力信号を電流増幅するトランジスタなどで構成したドライバー７、ドライバー７で駆動されて赤外線リモコン信号を外部に送信する発光ダイオード８、マイコン６に接続された時刻表示用のディスプレイ９を備えている。さらに、マイコン６には操作スイッチ(押しボタン)１０〜１８、可視発光ダイオード１９、２０が接続される。なお、発光ダイオード８は複数あり、リモコン送信器３を壁掛けと床置きのどちらで使用しても、照明器具２にリモコン信号が届きやすいように、リモコン送信器３の前端側と表面側にそれぞれ設けられている。
【０００９】
操作スイッチ１０を押すと蛍光ランプ４を全光点灯させるリモコン信号を送信でき、操作スイッチ１１を押すと蛍光ランプ４を調光(減光)点灯させるリモコン信号を送信でき、操作スイッチ１２を押すと豆球などの補助光源を点灯させるリモコン信号を送信でき、操作スイッチ１３を押すと蛍光ランプ４および前記補助光源を消灯させるリモコン信号を送信できる。
【００１０】
操作スイッチ１４は留守にする際に押す留守番モードスイッチで、操作スイッチ１４を一度押すと留守番モードになって近傍の発光ダイオード１９が点灯し、もう一度押すと留守番モードが解除されて発光ダイオード１９が消灯するという繰り返し動作をする。操作スイッチ１５は就寝したい場合に押すおやすみタイマースイッチ(押されてから例えば３０分経過後に消灯命令または豆球など補助光源のみの点灯命令のリモコン信号が送信される)であり、操作スイッチ１５を一度押すとおやすみタイマーモードになって近傍の発光ダイオード２０が点灯し、もう一度押すとおやすみタイマーモードが解除されて発光ダイオード２０が消灯するという繰り返し動作をする。
【００１１】
操作スイッチ１６〜１８はディスプレイ９に関連するものであり、操作スイッチ１６を押すたびに、現在時刻、タイマー動作時間帯の開始時刻、タイマー動作時間帯の終了時刻の３つの表示モードに切り替えられる。なお、図２と図３は現在時刻表示モード中であり、「現在」と表示されているが、タイマー動作時間帯の開始時刻、タイマー動作時間帯の終了時刻の表示モード中ではそれぞれ、「開始」、「終了」などとと表示される。操作スイッチ１７は前記表示モードに対応してそのモードの時分を設定するものであり、操作スイッチ１７を押すたびに時分表示を進めることができる。そして、このようにして設定した時分は操作スイッチ１８を押すことにより決定されるものである。なお、メーカー出荷時に例えば、タイマー動作時間帯の開始時刻を１７：００、タイマー動作時間帯の終了時刻を２３：００にあらかじめ設定(決定)しておくと大抵のユーザーにとって好ましい。
【００１２】
そうすると、留守にする際に操作スイッチ１４を押して留守番モードにしておくだけで、毎日、１７：００になると蛍光ランプ４を点灯するためのリモコン信号がリモコン送信器３から送信されて、蛍光ランプ４が点灯し、２３：００になると蛍光ランプ４を消灯するためのリモコン信号がリモコン送信器３から送信されて、蛍光ランプ４が消灯するといった具合に、留守にもかかわらず、あたかも家人が在宅しているかのように照明器具２が点灯制御される。しかしながら、前述したような問題が内在している。
【００１３】
ここで、本発明の実施形態を図４と図５も参照して説明すれば、設定された時間帯(例えば１７：００〜２３：００)において照明器具２が点灯制御される時間帯点灯機能手段(前記留守番モード)を備えた照明制御装置であって、前記時間帯点灯機能手段をセットした場合(STEP S1)、所定時間(例えば５分)後(STEP S2のY通過)に前記時間帯中であるか否かを判定し(STEP S3)、前記時間帯中である場合は照明器具２を点灯制御(リモコン送信器３が点灯信号送信)し、そうでない場合は照明器具２を消灯(または減光)制御(リモコン送信器３が消灯信号送信)する照明制御装置である。なお、ここで言う減光とは補助光源のみの点灯など弱い光出力とする。また、前記５分は、ユーザーが操作スイッチ１４を押して留守番モードにセットしてから外出するまでの略最長時間を想定している。
【００１４】
そうすると、図５(Ａ)のように、照明器具２が点灯・消灯いずれの状態であっても前記時間帯の開始時刻(１７：００)になる相当前に、留守番モードをセットした場合、５分後にはリモコン送信器３から消灯命令のリモコン信号が送信されて、照明器具２が消灯される。そして、前記開始時刻(１７：００)になるとリモコン送信器３から点灯命令のリモコン信号が送信されて照明器具２が点灯され、２３：００に消灯されるという留守番モード本来の機能が発揮される。また、図５(Ｂ)のように、照明器具２が点灯・消灯いずれの状態であっても前記時間帯中(１７：００〜２３：００)に留守番モードをセットした場合、５分後にはリモコン送信器３から点灯命令のリモコン信号が送信されて照明器具２が点灯し、前記時間帯の終了時刻(２３：００)には照明器具２が消灯されるという留守番モード本来の機能が発揮される。
【００１５】
以上のように本実施形態によれば、予め設定された時間帯においては照明器具２が点灯され、それ以外の時間帯では照明器具２が消灯(または減光)され、適切な防犯機能などが発揮される。なお、照明器具２に時計機能を内蔵させることにより本発明による時間帯点灯機能を照明器具２側にもたせてももちろんよい。また、比較的長期間の留守に備えて、よりリアルに在宅を装うために、日によって前記時間帯の開始時刻または／および終了時刻がそれらの近辺(±１時間程度以内)で周期的またはランダムに変化するようにしてもよいので、時間帯点灯機能手段による点灯時間帯の開始・終了時刻が毎日固定的である必要はない。
【図面の簡単な説明】
【００１６】
【図１】全体概略図
【図２】同リモコン送信器の正面図
【図３】同回路ブロック図
【図４】本発明による制御状態を示すフロー図
【図５】本発明による制御状態を示すタイミング図
【符号の説明】
【００１７】
２  照明器具
３  リモコン送信器
１４  操作スイッチ(留守番モードの設定／解除用)
【図１】
2005078924.tif 000003
【図２】
2005078924.tif 000004
【図３】
2005078924.tif 000005
【図４】
2005078924.tif 000006
【図５】
2005078924.tif 000007